(57)【要約】【課題】筺体本体の一部にパネルが設けられた電子機器の防水構造を提供する。【解決手段】電子部品等を収容する筐体本体１が、第１筐体２と第２筐体３とに複数分割され、かつ筐体本体の一部にパネル５が取り付けられた電子機器の防水構造であって、筐体本体のパネル取り付け面を除く第１、第２筐体の当接面にパッキン収納溝２ｄ，３ｄを形成して、このパッキン収納溝に紐状のパッキン４を収納することにより第１、第２筐体との間の防水を行うと共に、パネル取り付け面２ｆ，３ｆにガスケット６を介してパネルを取り付け、かつパッキンの両端部をガスケットに圧接させることにより、第１、第２筐体間及び第１、第２筐体とパネル間の防水を行うようにしたもので、筺体本体の一部にパネルが設けられた電子機器を確実に防水することができる。【選択図】図１
2009129946.tif 000002
【特許請求の範囲】
【請求項１】
電子部品等を収容する筐体本体が第１筐体と第２筐体とに複数分割され、かつ前記筐体本体の一部にパネルが取り付けられた電子機器の防水構造であって、前記筐体本体のパネル取り付け面を除く前記第１、第２筐体の当接面にパッキン収納溝を形成して、前記パッキン収納溝に紐状のパッキンを収納することにより前記第１、第２筐体との間の防水を行うと共に、前記パネル取り付け面にガスケットを介して前記パネルを取り付け、かつ前記パッキンの両端部を前記ガスケットに圧接させることにより、前記第１、第２筐体間及び前記第１、第２筐体と前記パネル間の防水を行うことを特徴とする電子機器の防水構造。
【請求項２】
前記パッキン収納溝の前記パネル側端部に凹孔を穿設し、これら凹孔に前記パッキンの両端部側に突設した突起を嵌合することにより、前記パッキンの両端面と前記ガスケットの圧接状態を保持してなる請求項１に記載の電子機器の防水構造。
【請求項３】
前記パッキン収納溝の前記パネル側端部に嵌合凹部を形成し、これら嵌合凹部に前記パッキンの両端部に形成した鍔部を嵌合することにより、前記パッキンの両端面と前記ガスケットの圧接状態を保持してなる請求項１に記載の電子機器の防水構造。
【発明の詳細な説明】
【技術分野】
【０００１】
本発明は、通信機器のような電子機器の防水構造に関する。
【背景技術】
【０００２】
従来、通信機器には多くの電子部品等が使用されているが、これら電子部品等は水に触れると短絡や故障の原因となる。
このため主として屋外で使用される無線通信機器のような電子機器では、電子部品等を水密構造の筺体内に収納することにより、電子部品等を雨水等から保護している。
また水密構造を採用した電子機器の筺体には、種々の防水構造が提案され、また実用化されている。
例えば特許文献１に記載の「ケースの防水装置」では、下ケースの開口縁に受け面を形成して、この受け面に環状のパッキンを載置し、受け面の外側端部に立ち上り壁を形成している。
そして上ケースの開口縁には、立ち上り壁が嵌入する凹溝を形成して、この凹溝を立ち上り壁へ嵌入することにより、上下ケース間を防水するように構成されている。
【０００３】
一方図７及び図８に示すように、筺体本体ａの一端側にパネルｂが設けられた電子機器の場合、従来では次のような防水構造を採用している。
すなわち第１筺体（例えば上部筺体）ｃと第２筺体（例えば下部筺体）ｄの当接面ｅに、両筺体ｃ，ｄを結合するビス等の固着具（図示せず）を避けるように環状のパッキンｆを介在させて第１、第２筺体ｃ，ｄ間の防水を行っている。
【特許文献１】実開平２−１０１５８２号公報
【発明の開示】
【発明が解決しようとする課題】
【０００４】
しかし前記特許文献１に記載の「ケースの防水装置」では、ケース本体が上ケースと下ケースのみにより構成されたものに採用した場合は高い防水効果が得られるが、ケース本体の一部、例えばケース本体の一端面にパネルが設けられたケースに適用した場合、ケース本体とパネル間の防水ができない問題がある。
【０００５】
一方図７及び図８に示すように、第１、第２筺体ｃ，ｄの一端面にパネルｂが設けられた電子機器の筺体本体ａでは、前記特許文献１に記載のケースの防水構造のように、環状のパッキンｆを第１筺体ｃと第２筺体ｄの当接面ｅに介在させることにより、第１、第２筺体ｃ，ｄ間の防水は可能であるが、第１、第２筺体ｃ，ｄの間を防水する環状のパッキンｆを設けるためには、パネルｂ側の側面に隔壁ｇを設けて、これら隔壁ｇの当接面ｈにもパッキンｆの一部を介在させる必要がある。
このため筺体本体ａの大きさが予め規格化されている電子機器の場合、パネルｂ側に隔壁ｆを設けることにより隔壁ｇの厚み分だけ筺体本体ａの内容積が減少するため、筺体本体ａ内に収容できる電子部品等の収容能力に制限を受ける問題がある。
また筺体本体ａ内に収容できる部品点数を確保するため、隔壁ｇの厚み分だけ筺体本体ａの長さを大きくすると筺体本体ａが大型化して、筐体本体ａの大きさが規格化されている電子機器には適用できない上、筐体のコストが上る等の問題もある。
【０００６】
一方筺体本体ａの一端側に設けられたパネルｂには、通常スイッチやコネクタ等の電子部品が実装されており、これら電子部品と筺体本体ａ内の電子部品等とは回路により電気的に接続されている。
このため筺体本体ａのパネルｂ側に隔壁ｇを形成すると、隔壁ｆ内に回路を通すための通路が必要となり、隔壁ｇ内に通路を設けた場合、これら通路から侵入する雨水等を防水するため、隔壁ｇとパネルｂの間にガスケットｉを設ける必要があるが、図７及び図８に示す従来の防水構造では、隔壁ｇの当接面ｈにもパッキンｆ設ける必要があるため、パッキンｆの長さが長くなって不経済である問題もある。
本発明はかかる問題を改善するためになされたもので、筺体本体の一部にパネルが設けられた電子機器の防水構造を提供することを目的とするものである。
【課題を解決するための手段】
【０００７】
本発明の電子機器の防水構造は、電子部品等を収容する筐体本体が、第１筐体と第２筐体とに複数分割され、かつ筐体本体の一部にパネルが取り付けられた電子機器の防水構造であって、筐体本体のパネル取り付け面を除く第１、第２筐体の当接面にパッキン収納溝を形成して、このパッキン収納溝に紐状のパッキンを収納することにより第１、第２筐体との間の防水を行うと共に、パネル取り付け面にガスケットを介してパネルを取り付け、かつパッキンの両端部をガスケットに圧接させることにより、第１、第２筐体間及び第１、第２筐体とパネル間の防水を行うようにしたものである。
【０００８】
前記構成により、パッキンにより第１、第２筺体の間が、またガスケットにより第１、第２筺体とパネル間が、そしてガスケットにパッキンの両端面が圧着されることにより、パッキンとガスケットとの間が防水されるため、筐体本体内を確実に防水することができ、これによって電子機器を屋外に設置しても、雨水等が筺体本体内に浸入することがないことから、筺体本体内に収容された電子部品等が雨水等により短絡したり、故障の原因となるのを未然に防止することができる。
また筐体本体のパネル取り付け側に隔壁を設ける必要がないため、筺体本体内に収容できる電子部品等の収容能力の増大と、筺体本体の小型化によるコストの低減が図れると共に、筐体本体の大きさが規格化されている電子機器にも容易に適用することができる。
さらに隔壁をなくすことにより隔壁部分のパッキンが不要となるため、パッキンのコスト低減も図れる。
【０００９】
本発明の電子機器の防水構造は、パッキン収納溝のパネル側端部に凹孔を穿設し、これら凹孔にパッキンの両端部側に突設した突起を嵌合することにより、パッキンの両端面とガスケットの圧接状態を保持したものである。
【００１０】
前記構成により、パッキンが収縮した場合でも、突起がパッキン端部の移動を阻止するため、パッキンの両端面がガスケットに圧接された状態を保持することができ、これによってパッキンとガスケットの間の防水効果が低下するのを防止することができると共に、筐体本体を組み立てる際、先にパッキン両端の突起をパッキン収納溝内の凹孔に嵌合してからパッキンをパッキン収納溝に収納することにより、パッキンが捩れたり、第１、第２筐体の当接面の間に噛み込まれたりするのを未然に防止することができる。
【００１１】
本発明の電子機器の防水構造は、パッキン収納溝のパネル側端部に嵌合凹部を形成し、これら嵌合凹部にパッキンの両端部に形成した鍔部を嵌合することにより、パッキンの両端面とガスケットの圧接状態を保持したものである。
【００１２】
前記構成により、パッキンが収縮した場合でも、鍔部がパッキン端部の移動を阻止するため、パッキンの両端面がガスケットに圧接された状態を保持することができ、これによってパッキンとガスケットの間の防水効果が低下するのを防止することができると共に、パッキンの両端部に鍔部を形成することによりガスケットとの接触面積が増加するため、パッキンとガスケット間の防水効果がさらに増大する。
また筐体本体を組み立てる際、先にパッキン両端の鍔部をパッキン収納溝内の嵌合凹部に嵌合してからパッキンをパッキン収納溝に収納することにより、パッキンが捩れたり、第１、第２筐体の当接面の間に噛み込まれたりするのを未然に防止することができる。
【発明の効果】
【００１３】
本発明の電子機器の防水構造によれば、パッキンにより第１、第２筺体の間が、またガスケットにより第１、第２筺体とパネル間が、そしてガスケットにパッキンの両端面が圧着されることにより、パッキンとガスケットとの間が防水されるため、筐体本体内を確実に防水することができ、これによって電子機器を屋外に設置しても、雨水等が筺体本体内に浸入することがないことから、筺体本体内に収容された電子部品等が雨水等により短絡したり、故障の原因となるのを未然に防止することができる。
また筐体本体のパネル取り付け側に隔壁を設ける必要がないため、筺体本体内に収容できる電子部品等の収容能力の増大と、筺体本体の小型化によるコストの低減が図れると共に、筐体本体の大きさが規格化されている電子機器にも容易に適用することができる。
さらに隔壁をなくすことにより隔壁部分のパッキンが不要となるため、パッキンのコスト低減も図れる。
【発明を実施するための最良の形態】
【００１４】
本発明の実施の形態を、図面を参照して詳述する。
図１は第１筺体と第２筺体及びパネルを分離した状態の分解斜視図、図２は筺体本体の一端側に取り付けられたパネル取り付け部分の拡大図、図３は図２のＡ円内の拡大図である。
図１に示す電子機器の筺体を構成する筺体本体１は、例えば上部筺体となる第１筺体２と、下部筺体となる第２筐体３とからなる。
第１筺体２及び第２筺体３は何れも対向面が開口する偏平なケース状となっていて、全体が金属等により一体成形されており、一端側を除く周辺部には、第１筺体２と第２筺体３との間を結合するビス等の固着具（図示せず）を挿入するための取り付け孔２ａ，３ａがほぼ等間隔に形成されている。
【００１５】
第１筺体２及び第２筺体３の合せ面となる当接面２ｂ，３ｂは、側壁２ｃ，３ｃの開口端面に形成されていて、これら当接面２ｂ，３ｂに、パッキン４を嵌挿するためのパッキン収納溝２ｄ，３ｄが取り付け孔２ａ，３ａを避けようにしてほぼ全体に形成されている。
パッキン収納溝２ｄ，３ｄは、パネル５を取り付ける一端側を除く当接面２ｂ，３ｂ全体にほぼＵ字状に形成されており、各パッキン収納溝２ｄ，３ｄの断面は、パッキン４の半径より僅かに小径な半円状となっていて、パッキン４をパッキン収納溝２ｄ，３ｄ内に収納した状態で第１、第２筺体２，３間を固着具により締め付けることにより、各パッキン収納溝２ｄ，３ｄ内でパッキン４が圧縮されて、第１、第２筺体２，３間が防水されるようになっている。
【００１６】
一方筺体本体１の一端側は、第１、第２筺体２，３の側壁２ｃ，３ｃを除いた開放構造となっており、第１、第２筺体２，３の一端面は平坦なパネル取り付け面２ｆ，３ｆが形成されている。
そして、これらパネル取り付け面２ｆ，３ｆに、パネル５の内面に設けられたガスケット６を介してパネル５が、ビス等の固着具（図示せず）により着脱自在に取り付けられている。
パネル５は例えば電子機器の前面パネルであって、金属板やプラスチック板等により長方形状に形成されており、スイッチやコネクタ等の電子部品（図示せず）が実装されている。
パネル５の内面に設けられたガスケット６は、ゴム板等の防水性及び弾性を有する板材により形成されていて、パネル５の周辺部に沿ってほぼ枠状に形成されており、筺体本体１の一端側にパネル５を取り付けた際、ガスケット６が第１、第２筺体２，３のパネル取り付け面２ｆ，３ｆに圧接されて、第１、第２筺体２，３とパネル５との間が防水されるようになっている。
【００１７】
また第２筺体３内には、電子部品等の機能部品（図示せず）が実装された回路基板７が収納されていて、回路基板７の一端側は、筺体本体１の一端側に取り付けられたパネル５の実装電子部品とガスケット６の中央に開口された抜き孔６ａを介して電気的に接続されており、パッキン収納溝２ｄ，３ｄに収納されたパッキン４の両端面は、図３に示すようにガスケット６に食い込むように圧接されて、パッキン４とガスケット６の間が防水されるようになっている。
【００１８】
次に前記構成された電子機器の防水構造の作用を説明する。
電子部品等を実装した回路基板７を筺体本体１内に組み込んだら、第２筺体３のパッキン収納溝３ｄ内にパッキン４を収納するが、このときパッキン４の両端が第１、第２筺体２，３のパネル取り付け面２ｆ，３ｆより僅かに突出するようパッキン４をセットする。
次にこの状態で、第２筺体３の開口部に第１筺体２の開口部を合致させた状態で、各取り付け孔２ａ，３ａに挿入した固着具を締め付けると、パッキン収納溝２ｄ，３ｄ内に収納されたパッキン４が径方向に圧縮されて、第１、第２筺体２，３の当接面２ｂ，３ｂ間が防水される。
【００１９】
次に第１、第２筺体２，３のパネル取り付け面２ｆ，３ｆにガスケット６を当接した状態で固着具によりパネル５を取り付けると、パネル取り付け面２ｆ，３ｆとパネル５の間でガスケット６が圧縮されて第１、第２筺体２，３とパネル５間が防水される。
またこのときパネル５内面のガスケット６にパッキン４の両端面が圧着されて、図３に示すようにパッキン４の端部がガスケット６に食い込むため、パッキン４とガスケット６との間も防水されるようになり、これによって電子機器を屋外に設置しても、雨水等が筺体本体１内に浸入することがないことから、筺体本体１内に収容された電子部品等が雨水等により短絡したり、故障の原因となることがない。
【００２０】
一方図５及び図６は防水構造の変形例を示すもので、次にこれら変形例を説明する。
なお前記実施の形態と同一部分は同一符号を付して、その説明は省略する。
前記実施の形態では、図３に示すようにパッキン４の両端面をガスケット６に圧接させることにより、第１、第２筐体２，３とパネル５間の防水を行うようにしたが、パッキン収納溝２ｄ，３ｄにパッキン４を収納する際パッキン４が捩れたり、パッキン４の一部がパッキン収納溝溝２ｄ，３ｄよりはみ出して当接面２ｂ，３ｂ間に噛み込まれた場合、パッキン４の長さが不足して、図４に示すようにパッキン４の端面とガスケット６との間に隙間８が発生して、防水効果が低下するおそれがある。
【００２１】
また筐体本体１の組み立て時にパッキン４が正常に組み込まれたとしても、電子機器を使用している間にパッキン４が劣化して収縮した場合、パッキン４の端面とガスケット６との間に隙間８が図４に示すように発生して、防水効果が低下するおそれがある。
これを防止するため図５に示す変形例では、第２筐体３に形成されたパッキン収納溝３ｄの両端部側に複数の凹孔３ｇを穿設し、またパッキン４側には、前記凹孔３ｇと合致する位置に複数の突起４ａを突設して、これら突起４ａをパッキン収納溝３ｄ内の凹孔３ｇに嵌合している。
【００２２】
これによってパッキン４が収縮した場合でも、パッキン４の両端面がガスケット６に圧接された状態を保持することができるため、防水効果が低下するのを防止することができるようになる。
また筐体本体１を組み立てる際、先にパッキン４両端の突起４ａをパッキン収納溝３ｄ内の凹孔３ｇに嵌合してからパッキン４をパッキン収納溝３ｄに収納することにより、パッキン４が捩れたり、第１、第２筐体２，３の当接面２ｂ，３ｂの間に噛み込まれたりするのを未然に防止することができる。
【００２３】
図６に示す変形例では、第１、第２筐体２，３に形成されたパッキン収納溝２ｄ，３ｄの両端部に幅広の嵌合凹部３ｈを形成し、またパッキン４の両端部には、前記嵌合凹部３ｈに嵌合する鍔部４ｂを形成して、これら鍔部４ｂを嵌合凹部３ｈに嵌合している。
これによってパッキン４が収縮した場合でも、パッキン４の両端面がガスケット６に圧接された状態を保持することができるため、防水効果が低下するのを防止することができる上、パッキン４の両端部に鍔部４ｂを形成することによりガスケット６との接触面積が増加するため、パッキン４とガスケット６間の防水効果がさらに増大する。
【００２４】
また筐体本体１を組み立てる際、先にパッキン４両端の鍔部４ｂをパッキン収納溝３ｄ端部の嵌合凹部３ｈに嵌合してからパッキン４をパッキン収納溝３ｄに収納することにより、パッキン４が捩れたり、第１、第２筐体２，３の当接面２ｂ，３ｂに噛み込まれたりするのを未然に防止することができる。
【図面の簡単な説明】
【００２５】
【図１】本発明の実施の形態になる防水構造を採用した電子機器の分解斜視図である。
【図２】本発明の実施の形態になる防水構造を採用した電子機器の筐体本体とパネルの取り付け部付近を示す拡大平面図である。
【図３】図２のＡ円内の拡大図である。
【図４】本発明の実施の形態になる電子機器の防水構造の説明図である。
【図５】本発明の実施の形態になる電子機器の防水構造の変形例を示す分解斜視図である。
【図６】本発明の実施の形態になる電子機器の防水構造の変形例を示す分解斜視図である。
【図７】従来の電子機器の防水構造を示す分解斜視図である。
【図８】従来の防水構造を採用した電子機器の筐体本体とパネルの取り付け部付近を示す拡大平面図である。
【符号の説明】
【００２６】
１    筐体本体
２    第１筐体
２ｂ    当接面
２ｄ    パッキン収納溝
２ｆ    パネル取り付け面
３    第２筐体
３ｂ    当接面
３ｄ    パッキン収納溝
３ｆ    パネル取り付け面
３ｇ    凹孔
３ｈ    嵌合凹部
４    パッキン
４ａ    突起
４ｂ    鍔部
５    パネル
６    ガスケット
【図１】
2009129946.tif 000003
【図２】
2009129946.tif 000004
【図３】
2009129946.tif 000005
【図４】
2009129946.tif 000006
【図５】
2009129946.tif 000007
【図６】
2009129946.tif 000008
【図７】
2009129946.tif 000009
【図８】
2009129946.tif 000010